(57)【要約】【課題】採土管を土壌中に所定深さ貫入させ、引き抜いて採土管内に貫入した土壌サンプルを採取する作業を、人力により省力的に行えるようにする。【解決手段】採土管３の基端部を取付ける本体部２と、本体部２の下部に取付けられる採土管３と同心状に上方に向けて延び、本体部２より細径で所定長さを有する主軸４と、主軸４に対して上下方向に往復移動可能に嵌挿されるハンドル・ハンマー部５と、ハンドル・ハンマー部５の下端部が本体部２の上端部に当接した状態でハンドル・ハンマー部５を主軸４に対して固定する固定手段６とを備えた。本体部２に対して採土管３を着脱可能とし、長さの異なる採土管１１と交換可能とした。ハンドル・ハンマー部５に、慣性を増大させるためのウエイト部８を着脱可能に設けた。採土管３に、その長さ方向に沿って目盛り１０を付設すると共に、土壌サンプルが観察でき、また土壌サンプルを取り出すことができる窓部３ｂを設けた。【選択図】          図１
2005036405.tif 000002
【特許請求の範囲】
【請求項１】
先端部を開口した筒状の採土管を土壌中に所定深さ貫入させ、引き抜いて採土管内に貫入した土壌サンプルを採取する採土器であって、
前記採土管の基端部を取付ける本体部と、該本体部の下部に取付けられる採土管と同心状に上方に向けて延び、該本体部より細径で所定長さを有する主軸と、該主軸に対して上下方向に往復移動可能に嵌挿され、ハンドルとハンマーを兼ねるハンドル・ハンマー部と、該ハンドル・ハンマー部の下端部が本体部の上端部に当接した状態でハンドル・ハンマー部を主軸に対して固定する固定手段とを備え、
前記ハンドル・ハンマー部を人力により主軸に沿って上下往復動させることにより、ハンドル・ハンマー部の下端部が本体部の上端部を叩打し、その衝撃により採土管を土壌中に貫入させ、該採土管が土壌中に所定深さまで貫入した時点で前記固定手段によりハンドル・ハンマー部を主軸に固定し、ハンドル・ハンマー部により採土管を土壌中から引き抜いて土壌サンプルを採取すること特徴とするハンドルハンマー式採土器。
【請求項２】
前記本体部に対して採土管を着脱可能とし、長さの異なる採土管と交換可能としたことを特徴とする請求項１記載のハンドルハンマー式採土器。
【請求項３】
前記ハンドル・ハンマー部に、ハンドル・ハンマー部の慣性を増大させるためのウエイト部を着脱可能に設けたことを特徴とする請求項１又は２記載のハンドルハンマー式採土器。
【請求項４】
前記採土管に、その長さ方向に沿って目盛りを付設すると共に、土壌サンプルが観察でき、また土壌サンプルを取り出すことができる窓部を設けたことを特徴とする請求項１又は２記載のハンドルハンマー式採土器。
【発明の詳細な説明】
【０００１】
【発明の属する技術分野】
本発明は、先端部を開口させた筒状の採土管を土壌中に所定深さ貫入させ、引き抜いて採土管内に貫入した土壌サンプルを採取する作業を、人力により省力的に行えるようにしたハンドルハンマー式採土器に関する。
【０００２】
【従来の技術】
従来、先端部を開口した筒状の採土管を土壌中に所定深さ貫入させ、引き抜いて、採土管内に貫入された円柱状の土壌サンプルを採取する採土器が周知である。この採土器には、人力式のものと、動力式のものがある。本願発明者らは、スラリー連用圃場やソルガム栽培土壌枠等から、人力式の採土器及び動力式の採土機を用いて定期的に土壌採取を行っている。人力式の採土器は、採土管（長さ２０ｃｍ）の先端部を採取しようとする土壌表面に立て、採土管の頂部に当て木をして該当て木をハンマー（１．５ｋｇ）により叩打し、採土管を土壌中に所定深さ（２０ｃｍ）まで打ち込み、その後採土管を引き抜いて土壌サンプルを採取しているが、土壌採取点数が多いことや圃場土壌が経時変化により固く締まっている際には、採土管の打ち込み、引き抜きに困難を生じている。
【０００３】
とりわけ、スラリー連用圃場周囲の草地部分からの土壌採取は、土壌が極めて固いため採取土壌の深度により、携行が困難な動力式（パーカッション式）の採土機を用いて土壌サンプルを採取（５０〜４００ｃｍ）していた。ところで、人力式の採土器において、上下端が開放され、外周部に螺旋状の掘進刃を有する中空の外筒と、この外筒内にその上端側から挿脱可能に収容され、収容された状態で外筒に対する回転を阻止する係止手段を有するサンプル収納筒と、サンプル収納筒内に収容される複数個に分割された採土管と、外筒を土壌表面側から土中に掘進または土中から引抜く方向に回動させる回動手段とを備え、土壌サンプル採取作業を省力的に行えるようにした技術が開示されている（例えば、特許文献１参照）。
【０００４】
【特許文献１】
実公昭６３−３２２２０号公報
【０００５】
【発明が解決しようとする課題】
上記採土管の頂部に当て木をし、該当て木をハンマーにより叩打して採土管を土壌中に所定深さまで打ち込み、土壌中に打ち込まれた採土管を引き抜いて採土管に貫入した土壌サンプルを採取するものでは、採土管をハンマーで土中に打ち込み、土中に打ち込まれた採土管を引き抜く作業は腕に掛かる負担が大きく、重労働である。また、上記先行技術に記載のものは、構造が複雑となる上、土壌サンプル採取時には、回動手段により外筒を回動させて土壌表面側から土中に掘進させ、または土中から引抜く方向に移動させる作業を必要とすることから、重作業であった。また、採土器の重量も重いものとなっている。さらに、動力式の採土機は、重量が重い（本体重量が２６ｋｇ）ため数名のサポート人員を必要としている。
【０００６】
そこで本発明は、上記のような各種の課題（問題点）に対応すべく、簡単に採土管を土壌中に打ち込むことができる人力（手動）式の採土器を開発した。この人力用採土器はハンドルハンマー式のもので、５０ｃｍまでの深さの土壌サンプルを簡便に採取することが可能で、耕起経歴のない草地においても、ウエイト部を装着することにより容易に土壌サンプルが採取できる。また、採土管の外側面に、長さ方向に沿って目盛りが刻んであるので、任意の深度での採土が容易に行える。
【０００７】
本発明の採土器は、全重量が３ｋｇ（ウエイト部を除く）程度と軽いものであり、使用するときは、本体部に採土管を装着し、採土管の先端部を採取しようとする土壌表面に立て、ハンドル・ハンマー部を両手で主軸に沿って上下往復動させ、ハンドル・ハンマー部の下端部により本体部を叩打し採土管を土壌中に所定深さまで貫入させ、固定手段によりハンドル・ハンマー部を主軸に固定し、ハンドル・ハンマー部により採土管を土壌中から引き抜いて土壌サンプルを簡便に採取する。上記従来の採土器に比べ、迅速に、かつ確実に土中に打ち込むことが可能であるのみならず、より深い土層の土壌採取が可能である。また、従来の動力式採土機と比べると、採土管の打ち込み深さがやや劣るものの、重量がはるかに軽量であり、携行性に富んでいる。このように本発明の採土器は、人力用として極めて利便性に優れ、簡便に、しかも省力的に採土が行え、上記従来の問題点を解決するようにしたハンドルハンマー式採土器を提供することを目的とする。
【０００８】
【課題を解決するための手段】
上記の目的を達成するために本発明は、以下の構成を有することを特徴とする。
Ａ．先端部を開口した筒状の採土管を土壌中に所定深さ貫入させ、引き抜いて採土管内に貫入した土壌サンプルを採取する採土器であって、
前記採土管の基端部を取付ける本体部と、該本体部の下部に取付けられる採土管と同心状に上方に向けて延び、該本体部より細径で所定長さを有する主軸と、該主軸に対して上下方向に往復移動可能に嵌挿され、ハンドルとハンマーを兼ねるハンドル・ハンマー部と、該ハンドル・ハンマー部の下端部が本体部の上端部に当接した状態でハンドル・ハンマー部を主軸に対して固定する固定手段とを備え、
前記ハンドル・ハンマー部を人力により主軸に沿って上下往復動させることにより、ハンドル・ハンマー部の下端部が本体部の上端部を叩打し、その衝撃により採土管を土壌中に貫入させ、該採土管が土壌中に所定深さまで貫入した時点で前記固定手段によりハンドル・ハンマー部を主軸に固定し、ハンドル・ハンマー部により採土管を土壌中から引き抜いて土壌サンプルを採取する。
【０００９】
Ｂ．前記本体部に対して採土管を着脱可能とし、長さの異なる採土管と交換可能とした。
Ｃ．前記ハンドル・ハンマー部に、ハンドル・ハンマー部の慣性を増大させるためのウエイト部を着脱可能に設けた。
Ｄ．前記採土管に、その長さ方向に沿って目盛りを付設すると共に、土壌サンプルが観察でき、また土壌サンプルを取り出すことができる窓部を設けた。
【００１０】
【発明の実施の形態】
以下、本発明の一実施の形態を添付の図面を参照して具体的に説明する。
図１〜図３において、符号１はハンドルハンマー式採土器で、本体部２の下部に採土管３の基端部が着脱可能に取付けられる。この本体部２に取付けられた採土管３と同心状に、下端部を本体部２の上面中心部に固着して上方に向けて延び、本体部２より細径で、断面がほぼ正方形のパイプ材からなり、所定長さを有する主軸４が設けられている。この主軸４の上端部には、抜け止めのためのストッパ４ａが固着されている。該主軸４に対して、上部嵌挿部５ａ及び下部嵌挿部５ｂを介して、丸パイプからなるハンドル・ハンマー部５が上下方向にｌの摺動ストロークで往復移動可能に嵌挿されている。このハンドル・ハンマー部５は、作業者が両手で持って操作するハンドルと、本体部２の上面を叩打して採土管３を土中に打ち込むハンマーの働きとを兼ねている。
【００１１】
前記上部嵌挿部５ａには、採土管３が土壌中に所定深さまで打ち込まれたとき、ハンドル・ハンマー部５の下端部、即ち、下部嵌挿部５ｂの下端部が本体部２の上端部に当接した状態で、ハンドル・ハンマー部５を主軸４に対して固定する固定・固定解除手段としてのハンドル・ハンマー部固定・固定解除用ノブ６が図４に示すように設けられている。このハンドル・ハンマー部固定・固定解除用ノブ６は、固定を解除することによりハンドル・ハンマー部５は主軸４に対して摺動自在となる。そして、前記ハンドル・ハンマー部５を人力により主軸４に沿って上下往復動させることにより、ハンドル・ハンマー部５の下端部が本体部２の上端部を叩打し、その衝撃により採土管３を土壌中に貫入させ、該採土管３が土壌中に所定深さまで貫入した時点でハンドル・ハンマー部固定・固定解除用ノブ６によりハンドル・ハンマー部５を主軸４に固定し、ハンドル・ハンマー部５により採土管３を土壌中から引き抜いて土壌サンプルを採取する。
【００１２】
前記本体部２に採土管３を装着し、この採土管３を採取しようとする土壌表面に対してほぼ垂直方向に立てた状態で、ハンドル・ハンマー部５を主軸４に沿って上下往復動させ、ハンドル・ハンマー部５の下端部（下部嵌挿部５ｂの下端部）が本体部２の上面を叩打して採土管３を土壌中に打ち込む際、その衝撃を緩和させるために本体部２の上面に緩衝材７としてゴム板を設けている。本体部２の下部には、図３，図６，図８などにも示すように、採土管３を着脱するための一対の採土管着脱穴２ａが対向して設けられ、この採土管３の基端部に設けた一対の嵌合突起３ａを採土管着脱穴２ａに嵌合、嵌合離脱可能としている。その嵌合、嵌合離脱操作は、採土管３の嵌合突起３ａを採土管着脱穴２ａに嵌挿した状態で、採土管３を周方向に所定角度回動させることにより行われる。そして、長さの異なる採土管１１と交換可能にしている。
【００１３】
図５に示すように、採土管３，１１は、直径が６０．２ｍｍ、長さが採土管３で２５０ｍｍ（取付け部５０ｍｍ、打ち込み部２００ｍｍ）、採土管１１で５５０ｍｍ（取付け部５０ｍｍ、打ち込み部５００ｍｍ）、基端部に一対の嵌合突起３ａ、１１ａを設けたステンレス製のパイプからなり、先端部はテーパ（１５度）を形成して鋭利にし、採土管３，１１の土壌への貫入抵抗が少なくなるようにしている。採土管３，１１をステンレス製にしたのは、土壌調査において、鉄分の含有量を測定する場合があり、サンプル土壌に錆などが付着しないようにするためである。また、採土管３，１１には、その長さ方向に沿って５０ｍｍ間隔で目盛り１０を付設（刻設）して土壌への打ち込み深さが分かるようにすると共に、採土管３，１１内に採取された土壌サンプルが外側から観察でき、また、土壌サンプルを取り出すことができる複数の窓部３ｂ，１１ｂ（採土管３で２個、採土管１１で３個）を設けている。
【００１４】
本発明のハンドルハンマー式採土器１により土壌サンプルを採取するとき、本体部２に採土管３を装着した場合とか、採取しようとする土壌が柔らかい場合には、ハンドル・ハンマー部５を人力により主軸４に沿って上下往復動させることにより、ハンドル・ハンマー部５の下端部が緩衝材７（ゴム板）を介して本体部２の上端部を叩打し、その衝撃により採土管３を土壌中に比較的容易に貫入させ、該採土管３が土壌中に所定深さまで貫入した時点でハンドル・ハンマー部固定・固定解除用ノブ６によりハンドル・ハンマー部５を主軸４に固定し、ハンドル・ハンマー部５により採土管３を土壌中から引き抜いて土壌サンプルを採取することができる。しかし、本体部２に採土管１１を装着した場合とか、採取しようとする土壌が固い場合とか、スラリー連用圃場周囲の草地部分から土壌採取するような場合には、ハンドル・ハンマー部５の慣性だけでは打ち込み力が不足し、打ち込み作業に困難を生じることになる。
【００１５】
このため本発明では、ハンドル・ハンマー部５の慣性を増大させることを目的に、図７，図８に示すように、２個一組のウエイト部８を着脱可能に設けている。このウエイト部８は１個が１．５ｋｇで計３ｋｇの重量が追加されることになる。因みに、ウエイト部８を除くハンドルハンマー式採土器１全体の重量は３ｋｇで、ウエイト部８を装着すると２倍の重量（６ｋｇ）になる。両ウエイト部８は、中心側に主軸４の外周部に嵌挿される主軸嵌合溝８ｂを有する半円柱形状のもので、下端部を下部嵌挿部５ｂの上部に形成した嵌合部に嵌合させ、主軸嵌合溝８ｂを主軸４に沿わせ、ウエイト部着脱具８ａをウエイト部８上に被せてウエイト部着脱具８ａに設けたウエイト部固定・固定解除用ノブ９を締め付けてウエイト部８をハンドル・ハンマー部５に固設する。なお、ウエイト部８及びウエイト部着脱具８ａは、ウエイト部８をハンドル・ハンマー部５に固着した状態で主軸４に対し上下動自在である。
【００１６】
このような構成のハンドルハンマー式採土器１によれば、土壌サンプルを採取するときは、本体部２に採土管３または採土管１１を装着し、採土管３または採土管１１の先端部を採取しようとする土壌に対してほぼ垂直方向に立て、ハンドル・ハンマー部５を持って主軸４に沿って摺動ストロークｌの範囲内で上下往復動させる。ハンドル・ハンマー部５は、その下端部が緩衝材７（ゴム板）を介して本体部２の上端部を叩打し、その衝撃により採土管３を土壌中に打ち込み、貫入させる。このとき、本体部２に採土管３を装着した場合とか、採取しようとする土壌が柔らかい場合には、ハンドル・ハンマー部５の重量のみの慣性により採土管３を土壌中に比較的容易に貫入させることができる。そして、該採土管３が土壌中に所定深さまで貫入した時点でハンドル・ハンマー部固定・固定解除用ノブ６によりハンドル・ハンマー部５を主軸４に固定し、ハンドル・ハンマー部５により採土管３を土壌中から引き抜いて土壌サンプルを採取する。なお、この作業時には、ウエイト部着脱具８ａを下部嵌挿部５ｂの上部に固定しておく。
【００１７】
しかし、本体部２に採土管１１を装着した場合とか、本体部２に採土管３を装着した場合でも、採取しようとする土壌が固い場合とか、スラリー連用圃場周囲の草地部分から土壌採取するような場合には、ハンドル・ハンマー部５の慣性だけでは打ち込み力が不足し、打ち込み作業が困難となるので、ハンドル・ハンマー部５にウエイト部着脱具８ａを介してウエイト部８を装着してから打ち込み作業を行うことにより、ハンドル・ハンマー部５の慣性力が増大して採土管３を土壌中に容易に打ち込むことができる。採土管３，１１の土壌中への打ち込み深さは、目盛り１０により確認できる。また、採土管３または採土管１１により採取された土壌サンプルは、採土管３または採土管１１から取り出して分析される。また、窓部３ｂ，１１ｂから、採土管３または採土管１１内に採取された土壌サンプルの状態を観察することができ、また、窓部３ｂ，１１ｂから各土層毎の土壌サンプルを取り出すことができる。
【００１８】
【発明の効果】
以上説明したように、本発明のハンドルハンマー式採土器は、請求項１〜４に記載の構成を有することにより、以下の作用効果を奏することができる。
▲１▼．採土管の基端部を取付ける本体部と、該本体部の下部に取付けられる採土管と同心状に上方に向けて延び、該本体部より細径で所定長さを有する主軸と、該主軸に対して上下方向に往復移動可能に嵌挿され、ハンドルとハンマーを兼ねるハンドル・ハンマー部と、該ハンドル・ハンマー部の下端部が本体部の上端部に当接した状態でハンドル・ハンマー部を主軸に対して固定する固定手段とを備えているので、一人の作業者により簡単に、かつ省力的に採土管を土壌中に所定深さまで打ち込んで、引き抜くことができ、土壌サンプルを簡便に採取することが可能となる。また、軽量なので、携行性、利便性に優れている。従って、従来の人力式採土器に比べ、採土管を迅速に、かつ確実に土中に打ち込むことができるのみならず、より深い土層の土壌採取を行うことができる。
【００１９】
▲２▼．本体部に対して採土管を着脱可能とし、長さの異なる採土管と交換可能としたので、採土管を付け替えることにより、任意の深度での土壌サンプルの採取作業を、容易に行うことができる。
▲３▼．ハンドル・ハンマー部に、ハンドル・ハンマー部の慣性を増大させるためのウエイト部を着脱可能に設けたので、固い土壌や耕起経歴のない草地においても、ウエイト部を装着することにより、採土管を容易に打ち込んで土壌サンプルを採取することができる。
▲４▼．採土管に、その長さ方向に沿って目盛りを付設すると共に、土壌サンプルが観察でき、また土壌サンプルを取り出すことができる窓部を設けたので、目盛りにより任意の深度での土壌採取作業を容易に行うことができる。また、採土管内に採取された土壌サンプルの状態を窓部から観察することができ、また、る窓部から土壌サンプルを取り出すことができる。
【図面の簡単な説明】
【図１】本発明によるハンドルハンマー式採土器の正面図である。
【図２】図１におけるハンドル・ハンマー部の動作説明図である。
【図３】本発明によるハンドルハンマー式採土器の部分拡大正面図である。
【図４】同部分拡大斜視図である。
【図５】（ａ）及び（ｂ）は、本発明による長さが異なる採土管の斜視図である。
【図６】本体部に採土管を着脱する状態の部分斜視図である。
【図７】ウエイト部の斜視図である。
【図８】ハンドル・ハンマー部にウエイト部を着脱する状態の部分斜視図である。
【符号の説明】
１  ハンドルハンマー式採土器
２  本体部  ２ａ  採土管着脱穴
３，１１  採土管    ３ａ，１１ａ    嵌合突起    ３ｂ，１１ｂ  窓部
４  主軸  ４ａ  ストッパ（抜け止め）
５  ハンドル・ハンマー部    ５ａ  上部嵌挿部  ５ｂ  下部嵌挿部
６  ハンドル・ハンマー部固定・固定解除用ノブ
７  緩衝材（ゴム板）
８  ウエイト部    ８ａ  ウエイト部着脱具  ８ｂ  主軸への嵌挿溝
９  ウエイト部固定・固定解除用ノブ
１０  目盛り
ｌ  ハンドル・ハンマー部の摺動（上下動）ストローク
【図１】
2005036405.tif 000003
【図２】
2005036405.tif 000004
【図３】
2005036405.tif 000005
【図４】
2005036405.tif 000006
【図５】
2005036405.tif 000007
【図６】
2005036405.tif 000008
【図７】
2005036405.tif 000009
【図８】
2005036405.tif 000010